(57)【要約】【課題】簡単な構成で、お湯と冷水を提供し続けること。【解決手段】液体を加熱保温する加熱容器１と、液体を冷ます冷却容器８を有し、この加熱容器の液体を加熱終了後、所定の方法で冷却容器８に液体を供給するよう構成することで、一度沸かしたお湯をそのまま保温温度を維持させると同時に自然冷却することで生成される冷水を同時に得ることができる。【選択図】図１
2005218540.tif 000002
【特許請求の範囲】
【請求項１】
液体を加熱保温する加熱容器と、液体を冷ます冷却容器を有し、前記加熱容器の液体を加熱終了後に所定の方法で冷却容器に供給するよう構成したことを特徴とする電気湯沸かし器。
【請求項２】
冷却容器は、加熱容器を収容する本体外部に構成することを特徴とする請求項１記載の電気湯沸かし器。
【請求項３】
冷却容器は着脱可能なものとすることを特徴とする請求項１〜２のいずれか１項に記載の電気湯沸かし器。
【請求項４】
所定の方法とは、あらかじめ設定された液量だけ自動的に供給するよう構成したことを特徴とする請求項１〜３のいずれか１項に記載の電気湯沸かし器。
【請求項５】
冷却容器に液体を自由に供給する供給手段を設け、所定の方法とは、供給手段にて随時供給できるよう構成したことを特徴とする請求項１〜３のいずれか１項に記載の電気湯沸かし器。
【請求項６】
所定の方法とは、冷却容器が満水になるまで自動的に供給するよう構成したことを特徴とする請求項１〜３のいずれか１項に記載の電気湯沸かし器。
【請求項７】
所定の方法とは、周囲の明るさが所定の暗さより暗くなった時に満水になるまで自動的に供給するよう構成することを特徴とした請求項１〜３のいずれか１項に記載の電気湯沸かし器。
【請求項８】
冷却容器未セット時には前記冷却容器がセットされるまで前記冷却容器への液体の供給を禁止するよう構成したことを特徴とする請求項１〜７のいずれか１項に記載の電気湯沸かし器。
【請求項９】
加熱容器内の液量が所定の量まで低下すると、冷却容器への供給を停止させるよう構成したことを特徴とする請求項１〜８のいずれか１項に記載の電気湯沸かし器。
【発明の詳細な説明】
【技術分野】
【０００１】
本発明は、家庭用で使用される液体を加熱する加熱器具に関してで、特にお湯と、一旦沸騰させたお湯を冷まして生成される冷水を提供することのできる電気湯沸かし器に関するものである。
【背景技術】
【０００２】
従来、この種の電気湯沸かし器は、液体を収容する容器と、容器内の液体を加熱・保温する加熱手段と、容器内の温度を計測する温度センサと、液体の保温温度を切り替える温度選択手段と、前記容器の外に設けた熱交換器と、前記容器内の液体を熱交換器内に循環させる電動ポンプを有し、温度選択手段で選択された液体を得るために、そのままお湯を保温したり、一度沸騰させた液体を前記熱交換器内で循環させることで、容器内の液体を速やかに冷やすことができ、所望の温度の液体を得ることができるものがあった（例えば、特許文献１参照）。
【０００３】
図７は、特許文献１に記載された従来の電気湯沸かし器を示すものである。
【０００４】
図７に示すように、容器１０１内に液体を入れて電源を印加すると、容器１０１を加熱・保温する加熱手段１０２の通電が開始され、液体温度を上昇させる。温度センサ１０３によって容器１０１内の温度を検知して液体温度が所定値に達すると循環ポンプ１０４を駆動して液体を循環しながら浄水する。浄水が終了すると加熱を停止し保温動作を行う。この状態で容器内の液体は高温を維持しており、高温のお湯が必要な場合はこの状態で出湯スイッチ１０５を操作することで出湯することができる。一方で冷水を必要とする場合は温度選択手段１０６を操作して所望の温度を選択すると、容器内の液体を循環しながら熱交換器１０７内で冷却されるため、液体の温度を急速に冷却することができる。
【特許文献１】特開平６−３８８７７号公報
【発明の開示】
【発明が解決しようとする課題】
【０００５】
しかしながら、前記従来の構成では、高温の液体と冷却された液体を貯蔵する容器が兼用のため、一度沸かしたおいしいお湯とこのお湯から生成される冷水を同時に得ることができない。また、冷却に用いる熱交換器等の装置が必要となるため、本体構成が大きくかつ高価で、さらに冷却するのに多大な電力も必要な製品となるため、近年環境にやさしい省エネ商品を開発する流れと相反する商品となるという課題を有していた。
【０００６】
本発明は、前記従来の課題を解決するもので、簡単な構成で一度沸かしたお湯から、お湯も冷水も効率よく同時に生成することができ、かつ消費電力量も抑制できる電気湯沸かし器を提供することを目的とする。
【課題を解決するための手段】
【０００７】
前記従来の課題を解決するために、本発明の電気湯沸かし器は、液体を加熱保温する加熱容器と、液体を冷ます冷却容器を有し、前記加熱容器の液体を加熱終了後に所定の方法で冷却容器に供給するよう構成したものである。
【０００８】
これによって、一度沸かしたお湯の一部を別の容器に分けて貯蔵することができるので保温温度を維持したお湯と、一方は自然冷却することで生成される冷水を同時に得ることが、簡単な構成でできる。
【発明の効果】
【０００９】
本発明の電気湯沸かし器は、一度沸かしたお湯の一部を別の容器に分けて貯蔵することで保温温度を維持したお湯と、自然冷却による生成される冷水を得ることが簡単な構成でかつ低価格で実現できる。
【発明を実施するための最良の形態】
【００１０】
第１の発明は、液体を加熱保温する加熱容器と、液体を冷ます冷却容器を有し、前記加熱容器の液体を加熱終了後に所定の方法で冷却容器に供給するよう構成することにより、一度沸かしたお湯の一部を別の容器に分けて貯湯することができるので保温温度を維持したお湯と、自然冷却することで生成される冷水を同時に得ることができる。
【００１１】
第２の発明は、特に、第１の発明の冷却容器を、加熱容器を収容する本体外部に構成することにより、本体内部の雰囲気温度よりも冷たい外気によって空冷することができるので、自然冷却に必要な時間が短縮され、より早く冷水を生成することができる。
【００１２】
第３の発明は、特に、第１または第２の発明の冷却容器を、着脱可能なものとすることで、生成された冷水を容器の入れ替えなしでそのまま持ち運びが可能なので、冷蔵庫等の他の冷却手段でそのまま保管することができ、急速冷却が必要なときにも単独の電力なしで、冷水を生成する時間を短縮することができる。
【００１３】
第４の発明は、特に、第１〜３の発明のいずれか１つの所定の方法を、あらかじめ設定された液量だけ自動的に供給するよう構成したことで、沸きあがったお湯を使用者の所望のとおりにしかも沸きあがったあとに自動的に分けて貯蔵することができるので、必要な湯量と冷水量を効率よく、しかもそれを全自動で行うことができるので使い勝手のよいものにすることができる。
【００１４】
第５の発明は、特に、第１〜３の発明のいずれか１つの所定の方法を、冷却容器に液体を自由に供給する供給手段を設け、所定の方法とは、供給手段にて随時供給できるよう構成したことで、使用者がその都度、お湯として必要としない量を冷却容器にて冷却することができるため、よりきめ細かな分け方が可能であり、効率的にお湯と冷水を作り分けすることができる。
【００１５】
第６の発明は、特に、第１〜３の発明のいずれか１つの所定の方法を、冷却容器が満水になるまで自動的に供給するよう構成したことで、使用者の操作のわずらわしさなく冷水を得ることができる。
【００１６】
第７の発明は、特に、第１〜３の発明のいずれか１つの所定の方法を、周囲の明るさが所定の暗さより暗くなった時に満水になるまで自動的に供給するよう構成したことで、夜間使用者が長時間使用していないときの液体を冷却することができるので、朝には冷水を生成することができ、使用者が必要な時にお湯と冷水の両方を即時に使用することができる。また、保温しているお湯の量も低減できるので保温電力量を低減させることもできる。
【００１７】
第８の発明は、特に、第１〜７の発明のいずれか１つの冷却容器の未セット時には前記冷却容器がセットされるまで前記冷却容器への液体の供給を禁止するよう構成したことで、誤って冷却容器がセットされていない状態で液体が本体外部に流出する危険を防いだ安全な電気湯沸かし器を提供することができる。
【００１８】
第９の発明は、特に、第１〜８の発明のいずれか１つの加熱容器内の液量が所定の量まで低下すると、冷却容器への供給を停止させるようにしたもので、確実に最低限必要とされるお湯の量を確保することができ、より使い勝手の良い電気湯沸かし器を提供することができる。
【００１９】
以下、本発明の実施の形態について、図面を参照しながら説明する。なお、この実施例の形態によって本発明が限定されるものではない。
【００２０】
（実施の形態１）
図１は本発明の第１の実施の形態における電気湯沸かし器の構成図である。
【００２１】
図１において、本体２は液体を加熱・保温するための加熱容器１と、前記加熱容器１に収容された液体は前記加熱容器１の底部に設けられた加熱手段３と、図示していないが同様に前記加熱容器１の底部に設けられた温度センサを備えている。この温度センサにより前記加熱容器１内の液体を所定温度（本実施例では沸騰するまで）まで前記加熱手段３を駆動して加熱する。前記加熱手段３は、前記加熱容器１内の液体を沸騰させる大きな出力をもつもの、例えば９２５Ｗの主ヒータと、前記加熱容器１内の液体を保温する比較的小さな出力をもつもの、例えば７５Ｗの補助ヒータとで構成されている。
【００２２】
この加熱手段３により加熱を終了した液体はそのまま使用する場合には、本体１の上部に設けられた出湯手段４をオンすることで、導出手段である出湯ポンプ５が駆動し、導出路６を通り導出口７より本体２外へ導かれる。前記出湯手段４をオフすると、前記出湯ポンプ５が停止し、出湯は停止する。
【００２３】
８は加熱終了した液体を冷却するために用いる冷却容器、１０は前記加熱容器１内から前記冷却容器８に液体を供給する供給ポンプ、１１は前記供給ポンプ１０から供給された液体を前記冷却容器８に供給する供給路である。前記供給路１１は前記本体２の外部で前記冷却容器８内に届くよう構成され、その終端は下向きにすることで、本体１内への埃などの侵入を防ぐ構成としている。
【００２４】
前記冷却容器８は、前記本体２の外部に取り外し可能な状態で構成され、その詳細を図２によって説明する。図２は本実施の第１の実施の形態における電気湯沸かし器の冷却容器８の構成を示したもので図において、この容器の一方の側面上方には前記供給路１１を引き込むためのキリカキ部８ａが設けられている。キリカキの深さは前記供給路１１の先端がスムーズにセットできる程度の深さのものである。また他の一方の側面上部には液体を外部に流出しやすいリップ形状８ｂのようにし、さらに一方の側面に取っ手８ｃを設けることで、持ち運びやすくかつ直接液体を冷却容器８より外部へ流出することができる構成となっている。また、この冷却容器８の上部には開閉可能な蓋９が配され、この蓋には前記キリカキ部８ａを覆い、本体１に取付時は蓋の上面にまで開動可能な小蓋９ａを設けることで、前記冷却容器８に蓋をしたときに隙間がなく、また冷却容器８を容易に本体１にセットできるよう構成されている。
【００２５】
再び図１に戻って、１２は設定手段で、前記冷却容器８の中に供給する液体量をあらかじめ設定する。１４は供給手段で、前記加熱容器１内の液体を任意で前記冷却容器８に供給させるためのスイッチである。１３は制御手段で、前記設定手段１２で設定された水量に応じて前記供給ポンプ１０を駆動することで設定された液量を前記冷却容器８に供給したり、前記供給手段１４によって、任意に供給ポンプ１０を駆動する。
【００２６】
次にこの具体的な操作例について図３を用いて説明する。図３は、前記出湯手段４と前記設定手段１２および前記供給手段１４を含む操作機能を配置した操作部１５を示している。図３は本発明の第１の実施の形態における操作部１５の構成図である。この操作部１５のうち、前記出湯手段４は、前記出湯ポンプ５を駆動させ、液体を前記加熱容器１外へ吐出するための出湯スイッチ４ａと、出湯スイッチ４ａによる吐出動作を許可するための出湯ロック解除スイッチ４ｂで構成されている。前記加熱容器１内から液体を吐出させるには出湯ロック解除スイッチ４ｂをＯＮし、ロック解除状態になっている時に出湯スイッチ４ａを押すことで可能となる。ロック解除状態で出湯スイッチ４ａを押している間、前記出湯ポンプ５を駆動させ液体を前記加熱容器１外部へ吐出することができる。ロック解除状態は約１０秒間出湯スイッチ４ａがＯＮされなければ禁止状態となり、再び出湯ロック解除スイッチ４ｂがＯＮしないと出湯スイッチ４ａを有効としないように構成している。
【００２７】
前記設定手段１２は、冷却容器８への供給量を設定する設定スイッチで、供給量を増やすＵＰスイッチ１２ａおよび供給量を減少させるＤＯＷＮスイッチ１２ｂにより構成されている。供給手段１４は、任意に冷却容器８へ加熱容器１から液体を供給するスイッチで、オンしている間前記供給ポンプ１０を駆動する。
【００２８】
次にその他の操作部１５の構成について説明する。１５ａは、前記加熱容器１内の液体の温度や、現在の温度設定状態および前記冷却容器８に供給する液体量を表示することのできる表示素子であり、１５ｂは前記加熱容器１内で保温されている液体を再度沸騰させるための再沸騰スイッチ、１５ｃは保温温度の設定を選択する温度選択スイッチ、１５ｄは液体を保温している状態であることを知らせる保温ＬＥＤ、１５ｅは液体を加熱中であることを知らせる沸騰ＬＥＤである。
【００２９】
以上のように構成された電気湯沸かし器について、以下その動作、作用を説明する。
【００３０】
図４は、本実施の形態１における電気湯沸かし器の前記操作部１５の変化を示したもので、この図を基に前記制御手段１３の動作等を説明する。
【００３１】
前記加熱容器１内に液体を貯水した状態で、商用電源が投入される湯沸しを開始する。湯沸しを開始すると、沸騰ＬＥＤ１５ｅが点灯し、前述のように加熱手段３は沸騰を検出するまで通電される。この時の前記表示素子１５ａの表示は図４（ａ）に示すように、初期の保温温度設定値（本実施の形態では９８とする）を示す▲と現在温度が表示される。湯沸し中の温度表示は、温度センサが検知する加熱容器１内の温度が上昇するごとに５℃刻みで例えば２０→２５→３０…というように表示が変化していく。保温温度の設定は湯沸し中、保温中にかかわらず常に設定可能で前記温度選択スイッチ１５ｃをオンする毎に９８→８５→６０→９８…のように保温温度を切り変えることができる。
【００３２】
次に、前記表示素子１５ａに前記冷却容器８への供給量が表示されていない状態において、前記設定手段１２を構成する前記ＵＰスイッチ１２ａまたは前記ＤＯＷＮスイッチ１２ｂを１回押すと図４（ｂ）のように５００ｃｃが表示される。その後さらに前記ＵＰスイッチ１２ａを押すと押された回数だけ１００ｃｃづつ加算された数値が表示される。この表示が１０００ｃｃまでいくとそれ以後ＵＰスイッチは受け付けないようになっている（本実施の形態では前記冷却容器の容量を１リットルとするため）。一方、前記ＤＯＷＮスイッチ１２ｂを押すと押された回数だけ１００ｃｃづつ減算された数値が表示される。そして最後１００ｃｃよりさらにＤＯＷＮスイッチ１２ｂがオンされると、前記冷却容器８の供給量表示は消える。さらにＤＯＷＮスイッチ１２ｂをオンすると、最初の表示である５００ｃｃを再度表示させることができる。このようにして湯沸し中に前記冷却容器８への供給量を決定してやる。
【００３３】
次に湯沸しが終了すると前記加熱手段３の通電が終わり、前記沸騰ＬＥＤ１５ｅが消灯して前記保温ＬＥＤ１５ｄが点灯する。その後第１の所定時間（本実施の形態では５分後とする）に前記冷却容器８への供給を開始する。このとき、前記制御手段１３は前記設定手段１２によって設定された液量に応じて前記供給ポンプ１０の駆動時間を決定し、決定された時間だけ供給ポンプ１０を駆動する。例えばこの供給ポンプ１０の供給能力が２００ｃｃ／５秒であったとしたら、これに応じた時間を駆動してやればよいことになる。また、冷却容器８への供給中には図４（ｃ）のように１００ｃｃ供給される毎に前記表示素子１５ａに表示している供給量表示も１００ｃｃづつ減少させていき、最後設定量の供給が終わったときには図４（ｄ）のように供給量表示を消すようにする。これにより、使用者に前記冷却容器８への液体の供給が終了したことを知らせる。
【００３４】
次に前記供給手段１４の動作について説明する。保温動作中に前記設定手段１２によって前記冷却容器８への液体供給量が表示されていない状態においては、前記供給手段１４をオンしてやると、オン状態の間前記冷却容器８に液体を供給するよう前記供給ポンプ８を駆動する。
【００３５】
以上のように、本実施の形態においては、加熱容器１と冷却容器８を有して加熱容器１の液体を加熱終了後、設定手段１２であらかじめ設定された液量を自動的に冷却容器８に供給するよう構成することで、一度沸かしたお湯の一部を別の容器に分けて貯蔵することができるので保温温度を維持したお湯と、自然冷却することで生成される冷水を同時に効率よく得ることが簡単な構成でかつ低価格で実現できる。また高温で保温する液量を少なく抑えることができるのと自然冷却のために、保温電力量の低減と冷却電力量の削除という省エネの商品を提供することができる。
【００３６】
また、供給手段１４によって任意で随時、前記冷却容器８へ液体を供給することができ、使用者がその都度、お湯として必要としない量を冷却することができるため、よりきめ細かな分け方が可能で効率的にお湯と冷水を作り分けすることができる。
【００３７】
なお、本実施の形態では前記冷却容器８を本体外でかつ本体側面に置く着脱可能なものにて説明したが、本体内にて前記加熱容器との間に十分な断熱構造を施して設置することも可能だし、さらには本体外部であったとしても本体上に取り付ける構成とすることも容易に実現できる。
【００３８】
また、本実施の形態の供給路１１は、供給ポンプ１０を介して加熱容器１と外部とが開放状態となっているが、例えば供給路１１の途中を電磁弁などを用いて遮断するよう構成することで、加熱容器１からの放熱を低減させることもできる。
【００３９】
また、本実施の形態では、加熱容器１の容量を２リットル、冷却容器８の容量を前述のように１リットルとすることで、冷却容器８を満水にした際にも必ず加熱容器１にも液体が残るよう構成しているが、加熱容器１と冷却容器８の容量はこれに制限されるものではない。
【００４０】
また、本実施の形態では湯沸し中に設定手段１２によって設定された液量を冷却容器８へ供給するように記載しているが保温中にも設定は可能で、その時には最後に設定されてから第１の所定時間経過後に供給を開始するなどの方法で容易に実現できる。
【００４１】
（実施の形態２）
図５は本発明の第２の実施の形態における電気湯沸かし器の構成を示す図である。この図によって説明する。なお、実施の形態１と同一部材については同一符号をつけて、その説明を省略する。
【００４２】
実施の形態１と異なる点は、前記供給路１１の先端部分に水面までの距離を測定する水位検知手段１６と、明かりを検知する光検知手段１７と、常に自動で冷却容器８内が満水になるように液体を供給することを選択可能にする自動設定手段１８を設けた点である。
【００４３】
この水位検知手段１６は前記供給路１１の先端に固定されて、下方にある水面に向かって超音波を送波し、水面からはねかってくる音波を受波する時間を測定することで水面までの距離を測定する超音波センサなどを用いて実現する。
【００４４】
光検知手段１７には、光を照射すると抵抗値が低下する光導電体などを用い、この抵抗値の変化によって周囲の明るさの状況を判断する。
【００４５】
自動選択手段１８は、前記操作部１５に配置し、１回オンすると後述する条件で前記冷却容器８に自動的に液体を供給する設定ができ、さらにもう一度オンすると自動的に供給する設定をキャンセルするこの繰り返しを行うことのできる選択を行わせるものである。
【００４６】
次に、これらを用いた前記制御手段１３と前記操作部１５の動作を説明する。実施の形態１と同様な湯沸し動作や保温動作を行われる中で、前記自動選択手段１８によって自動冷却が選択されていると、その旨を前記表示素子１５ａ上に表示する。
【００４７】
次に湯沸しが終了すると前記加熱手段３の通電が終わり、前記保温ＬＥＤ１５ｄが点灯して保温状態になるが、その後は前記光検知手段１７によって周囲が暗くなったかどうかを検知させ、暗くなったと判断したときからその状態が第２の所定時間（本実施例では３０分とする）継続したことを検知すると、前記水位検知手段１６は前記冷却容器８内が満水（本実施例では１０００ｃｃとする）になるまで供給する。
【００４８】
これにより、使用者に電気湯沸かし器を使用しない時間帯（例えば就寝時）に液体を冷却するので次に使用する時間（例えば起床時）には冷水を得ることのできるので、自然冷却に要する時間を使用者に意識させることなくかつ効率的な冷却が可能な電気湯沸かし器を実現することができる。
【００４９】
なお、本実施の形態２では光検知手段１７は常に動作するようにしているが、その機能を停止させることで、加熱終了後で前記第１の所定時間後に満水にするよう動作させることも可能である。
【００５０】
（実施の形態３）
図６は本発明の第３の実施の形態における電気湯沸かし器の構成を示す図である。この図によって説明する。なお、実施の形態１と同一部材については同一符号をつけて、その説明を省略する。
【００５１】
実施の形態２と異なる点は、前記冷却容器８が確実にセットされているかどうかを検知する容器検知手段１９と、前記冷却容器８に液体を供給と中でも前記加熱容器内の液体が所定量まで減少すると前記冷却容器８への供給を停止させる残量検知手段２０を設けた点である。
【００５２】
容器検知手段１９は、本体１内部で供給路１１近辺に配置されたマイクロスイッチ１９ａと冷却容器８がセットされた時に本体１内部に押し込まれてマイクロスイッチ１９ａをオンし、冷却容器８が外された時には押釦の自己復帰によって本体１外部へ突出することでマイクロスイッチ１９ａをオフするレバー１９ｂによって構成される。この容器検知手段１９は可能な限り前記供給路に近い位置で構成することで、このマイクロスイッチ１９ａをオンさせるためには供給路１１の口を冷却容器８内に挿入しないと不可能とすることができ、確実にセットされた状態を検知することができる。
【００５３】
前記導出路６は前記加熱容器１内の液位を示す機能もあわせ持ったもので、加熱容器１に必要な最低量（本実施の形態では１０００ｃｃとする）を確保できる位置に残量検知手段２０を備えることで実現する。この残量検知手段２０は、センサの検知情報から前記加熱容器１内の液位を検知することができる。本実施の形態では各センサはフォトトランジスタと発光ダイオードの対により構成される。
【００５４】
次に、これらを用いた前記制御手段１３と前記操作部１５の動作を説明する。実施の形態２と同様な湯沸し動作や保温動作を行われる中で、前記自動選択手段１８によって自動冷却が選択されていると、その旨を前記表示素子１５ａ上に表示する。この自動冷却が選択された際に、前記容器検知手段１９によって前記冷却容器８が設置されているかどうかを判断し、設置されていなければ設置されるまでその旨を例えば前記表示素子１５ａ上や別のＬＥＤによって表示してやり、その状態で冷却容器８への液体供給が可能な条件を満足したとしても、前記供給ポンプ１０を駆動させないようにする。前記冷却容器８が設置されると、前記表示をオフさせて、冷却容器８への液体供給が可能な条件を満足すると、前記供給ポンプ１０を駆動する。
【００５５】
次に前記供給ポンプ１０の駆動が開始すると、前記残量検知手段２０の検知内容を確認して、前記最低量まで加熱容器１内の液量が低下すると、その旨を表示して、前記供給ポンプ１０の駆動を停止させる。
【００５６】
これにより、冷却容器８が確実にセットされた状態でないと、冷却容器８に液体を供給できないので、安全な電気湯沸かし器を提供することができる。
【００５７】
また、保温中の液体も必要最低量は維持できるので確実にお湯と冷水を分けて貯蔵できる使いがってのよい電気湯沸し気を提供することができる。
【００５８】
なお、本実施の形態３における前記残量検知手段２０は光センサで構成したものを用いているが、重量センサなどを用いて構成することで加熱容器１内の残量を使用者が自由に設定できるようにすることも容易に実現でき、同等以上の効果を得ることができる。
【産業上の利用可能性】
【００５９】
以上のように、本発明にかかる電気湯沸かし器は、お湯と冷水を別の容器に貯蔵することができるので、常時液体を追加され加熱される水道直結型の湯沸かし器などの用途にも適用できる。
【図面の簡単な説明】
【００６０】
【図１】本発明の実施の形態１における電気湯沸かし器の構成を示す図
【図２】本発明の実施の形態１における冷却容器の構成を示す図
【図３】本発明の実施の形態１における操作部の構成を示す図
【図４】本発明の実施の形態１における操作部の動作を示す図
【図５】本発明の実施の形態２における電気湯沸し気の構成を示す図
【図６】本発明の実施の形態３における電気湯沸し気の構成を示す図
【図７】従来の電気湯沸しの構成図
【符号の説明】
【００６１】
１  加熱容器
８  冷却容器
１４  供給手段
【図１】
2005218540.tif 000003
【図２】
2005218540.tif 000004
【図３】
2005218540.tif 000005
【図４】
2005218540.tif 000006
【図５】
2005218540.tif 000007
【図６】
2005218540.tif 000008
【図７】
2005218540.tif 000009